(57)【要約】【課題】光学部材の表面に付着した塵埃等を効果的に除去することができる振動制御装置を提供する。【解決手段】光学部材５を振動させる振動ユニット６において、低次系振動モードにおける振動形状の腹部が低次系振動モード用の圧電素子の中心位置にかかるように圧電素子対が設置され、高次系振動モードにおける振動形状の腹部が高次系振動モード用の圧電素子の中心位置にかかるように圧電素子対が設置されており、振動させる圧電素子対を振動モードに応じて切り替えるようにしたことを特徴とする。【選択図】図３
2010193312.tif 000002
【特許請求の範囲】
【請求項１】
被写体像を光電変換面で光電変換する撮像素子の前面に設けられ、前記光電変換面上に被写体像を結像させる光学部材と、
電圧の印加により振動して前記光学部材を共振させる複数の振動体対を有する振動発生手段と、
前記振動発生手段で振動させる振動体対を、振動形状の異なる複数の振動モードの中から選択された振動モードに応じて切り替える切り替え制御手段と、
前記切り替え制御手段により切り替えられた前記振動体対に対して、前記振動モードに応じた周波数の電圧を印加する電圧制御手段と、
を備え、
前記振動発生手段は、
複数の前記振動体対のうち、低次系振動モード用として機能する前記振動体対は低次系振動モードにおける振動形状の腹部が当該振動体の中心位置にかかるように設置され、高次系振動モード用として機能する前記振動体対は高次系振動モードにおける振動形状の腹部が当該振動体の中心位置にかかるように設置されていること、
を特徴とする振動制御装置。
【請求項２】
請求項１に記載の振動制御装置であって、
前記振動発生手段は、
複数の前記振動体対のうち、前記光学部材の第１面側に低次系振動モード用として機能する前記振動体対が設置され、第２面側に高次系振動モード用として機能する前記振動体対が設置されていること、
を特徴とする振動制御装置。
【請求項３】
請求項１に記載の振動制御装置であって、
前記切り替え制御手段は、
低次系振動モードでは、低次系振動モード用の振動体対として機能する少なくとも２つの前記振動体対を前記振動発生手段で振動させる振動体対とし、高次系振動モードでは、高次系振動モード用の振動体対として機能する少なくとも２つの前記振動体対を前記振動発生手段で振動させる振動体対とすること、
を特徴とする振動制御装置。
【発明の詳細な説明】
【技術分野】
【０００１】
本発明は、光学部材を振動させて、光学部材の表面に付着した塵埃等を除去する振動制御装置に関するものである。
【背景技術】
【０００２】
従来、レンズ交換式のデジタル一眼レフカメラでは、レンズを交換した際に侵入する塵埃やカメラ内の駆動部品から発生する磨耗粉（以下、塵埃等という）が、撮像素子の前面に配置された光学部材の表面に付着し、撮像素子で撮影した画像に写り込んでしまうという問題が生じていた。
【０００３】
そこで、光学部材に貼り付けた圧電素子に特定の周波数の電圧を印加して光学部材を共振させることにより、光学部材の表面に付着した塵埃等を除去する技術が提案されている（例えば、特許文献１、２参照）。
【先行技術文献】
【特許文献】
【０００４】
【特許文献１】特開２００８−５０５８号公報
【特許文献２】特開２００２−２０４３７９号公報
【発明の概要】
【発明が解決しようとする課題】
【０００５】
上記のような圧電素子により光学部材を振動させる技術では、付着している位置や性質の異なる様々な塵埃等を除去するため、共振周波数の異なる振動モードを複数組み合わせて光学部材に与える方式が主流となっている。この方式では、シミュレーションにより予め光学部材に発生する振動形状の腹部の個数と位置、大きさを把握し、圧電素子の中心位置が振動形状の腹部に位置するように圧電素子を設置することで光学部材を効率よく共振させるようにしている。
【０００６】
しかしながら、同一位置に設置された圧電素子を使って複数の振動モードによる振動を発生させる場合、組み合わせる振動モードが離れていると、特定の振動モードにおいては振動形状の節部が圧電素子の中心位置近くになることがある。このように、振動形状の節部が圧電素子の中心位置近くにかかっていると、光学部材を効率良く振動させることができないばかりか、発生した振動形状自体が互いに打ち消し合い、印加する電圧を上昇させても全く振動を得ることができない場合もある。この場合は、その振動モードが実質的に使用できないことになる。
【０００７】
なお、振動形状の「腹部」とは、振動形状の山（頂点）の部分をいい、「節部」とは、振動形状の腹部と腹部との間の中間点をいう。
【０００８】
本発明の課題は、光学部材の表面に付着した塵埃等を効果的に除去することができる振動制御装置を提供することにある。
【課題を解決するための手段】
【０００９】
本発明は、以下のような解決手段により前記課題を解決する。なお、理解を容易にするために、本発明の実施形態に対応する符号を付して説明するが、これに限定されるものではない。
請求項１に記載の発明は、被写体像を光電変換面で光電変換する撮像素子（４）の前面に設けられ、前記光電変換面上に被写体像を結像させる光学部材（５）と、電圧の印加により振動して前記光学部材を共振させる複数の振動体対を有する振動発生手段（６）と、前記振動発生手段で振動させる振動体対を前記振動モードに応じて切り替える切り替え制御手段（１０）と、前記切り替え制御手段により切り替えられた前記振動体対に対して、前記振動モードに応じた周波数の電圧を印加する電圧制御手段（９）とを備え、前記振動発生手段は、低次系振動モード用として機能する前記振動体対は低次系振動モードにおける振動形状の腹部が当該振動体の中心位置にかかるように設置され、高次系振動モード用として機能する前記振動体対は高次系振動モードにおける振動形状の腹部が当該振動体の中心位置にかかるように設置されていることを特徴とする振動制御装置である。
請求項２に記載の発明は、請求項１に記載の振動制御装置であって、前記振動発生手段（６）は、複数の前記振動体対のうち、前記光学部材（５）の第１面側に低次系振動モード用の前記振動体対（６１ａ、６１ｂ）が設置され、第２面側に高次系振動モード用の前記振動体対（６０ａ、６０ｂ）が設置されていることを特徴とする。
請求項３に記載の発明は、請求項１に記載の振動制御装置であって、前記切り替え制御手段（１０）では、低次系振動モードでは、低次系振動モード用の振動体対として機能する少なくとも２つの前記振動体対（６４ａ、６４ｂ、６４ｄ、６４ｅ）を前記振動発生手段（６）で振動させる振動体対とし、高次系振動モードでは、高次系振動モード用の振動体対として機能する少なくとも２つの前記振動体対（６４ｂ、６４ｃ、６４ｅ、６４ｆ）を前記振動発生手段で振動させる振動体対とすることを特徴とする。
なお、符号を付して説明した構成は、適宜改良してもよく、また、少なくとも一部を他の構成物に代替してもよい。
【発明の効果】
【００１０】
本発明によれば、光学部材の表面に付着した塵埃等を効果的に除去することができる振動制御装置を提供することができる。
【図面の簡単な説明】
【００１１】
【図１】実施形態１に係わる振動制御装置を備えたデジタルカメラの機能的な構成を示すブロック図である。
【図２】実施形態１における振動ユニットの構成を示す斜視図である。
【図３】実施形態１の振動ユニットと光学部材の共振による振動形状を示す説明図である。
【図４】従来例の構成による振動ユニットと光学部材の共振による振動形状を示す説明図である。
【図５】実施形態２における振動ユニットの構成を示す斜視図である。
【図６】実施形態２の振動ユニットと光学部材の共振による振動形状を示す説明図である。
【発明を実施するための形態】
【００１２】
以下、図面を参照して、本発明に係わる振動制御装置の実施形態について説明する。ここでは、本発明に係わる振動制御装置をデジタルカメラに適用した場合の実施形態について説明する。
（実施形態１）
【００１３】
図１は、本実施形態に係わる振動制御装置を備えたデジタルカメラ１の機能的な構成を示すブロック図である。以下、各部について説明する。
【００１４】
撮影レンズ２は、入射した被写体光を屈折させて撮像部３側に出射する光学系であり、図示しない絞りユニットにより被写体光の光量が調節される。
【００１５】
撮像部３は、撮影レンズ２から出射された被写体光を撮像する回路であり、被写体光を露光して電気的な画像信号に変換して画像処理部７へ出力する。この撮像部３は、撮像素子４と、光学部材５と、振動ユニット６とを備えている。撮像素子４は、被写体像を光電変換面で光電変換する部分であり、平面状に配置されたＣＣＤ、ＣＭＯＳなどで構成されている。光学部材５は、撮像素子４の前面に設けられ、被写体光の分光特性やフィルタリング特性を備えている。この光学部材５は、積層された複数枚の水晶板やフィルタなどで構成されている。振動ユニット６は、電圧の印加により振動して光学部材５を共振させる振動発生手段であり、後述する低次系振動モード用の圧電素子（６０ａ、６０ｂ）と高次系振動モード用の圧電素子（６１ａ、６１ｂ）とを備えている。これら圧電素子は、圧電素子駆動回路９から供給される交流電圧により駆動される。
【００１６】
画像処理部７は、撮像部３から出力された画像信号に対し、ノイズ除去、Ａ／Ｄ変換、色補正処理、サイズ変更、符号化などの処理を行い、デジタルの画像データを作成する。この画像データはＤＲＡＭ１５に一時的に記憶される。
【００１７】
表示パネル８は、使用者に対し撮像部３で撮像された被写体像や操作に関する情報などの表示のほか、各種設定情報や登録情報などを表示するための表示手段であり、液晶ディスプレイパネルにより構成されている。
【００１８】
圧電素子駆動回路９は、制御部１０から所定の信号を受信すると、振動ユニット６の各圧電素子に対して、振動モードに応じた周波数の電圧を印加する。制御部１０では、後述するように、振動させる圧電素子を光学部材５の振動モードに応じて切り替えている。この圧電素子駆動回路９は、制御部１０により切り替えられた圧電素子に対し、振動モードに応じた周波数の電圧を印加する電圧制御手段として機能する。
【００１９】
制御部１０は、デジタルカメラ１全体の動作を制御する回路であり、マイクロプロセッサにより構成されている。
【００２０】
この制御部１０では、焦点調節のためのレンズ駆動量を演算し、撮影レンズ２の一部を光軸方向に移動させる不図示のレンズ内モータ又はボディ内モータを駆動して、焦点調節を行う。また、被写体光の輝度や、撮影レンズ２の種類、開放Ｆ値、焦点距離などのレンズ情報のほか、使用者により設定された撮影モード、図示しない感度設定部から入力された感度情報などに基づいて適正な露出値を演算する。そして、その露出値に応じた絞り値とシャッタースピード値を選択し、不図示の絞りユニットやシャッターユニットを駆動して露出制御を行う。
【００２１】
また、制御部１０は、振動させる圧電素子を光学部材５の振動モードに応じて切り替える切り替え制御手段としての機能を備えている。すなわち、制御部１０は、振動させる圧電素子の設定を切り替えた後、駆動の対象となる圧電素子に所定の周波数の交流電圧が印加されるよう圧電素子駆動回路９に駆動信号を出力する。本実施形態では、振動モードとして、後述する低次系振動モード（モード６、モード７）と、高次系振動モード（モード１１、モード１２）の２種類の振動モードが設定されており、光学部材５の表面に付着した塵埃等を除去する場合は、最初に低次系振動モードによる振動を発生させ、続いて、高次系振動モードによる振動を発生させている。
【００２２】
操作部材１１は、使用者が制御部１０に対し各種指令を与えるための入力手段であり、不図示のダイヤル、ボタン、レバーなどで構成されている。
【００２３】
電源部１２は、デジタルカメラ１の電源がオンされると、制御部１０、表示パネル８などに電力を供給する電源回路である。
【００２４】
ＥＥＰＲＯＭ１３は、デジタルカメラ１の電源がオフしても記憶した情報を保持する不揮発性メモリであり、ユーザ設定やカスタム設定などの入力情報が記憶される。このＥＥＰＲＯＭ１３には、使用者が選択、決定した振動ユニット６の駆動パターンや、駆動のタイミング（例えば、電源オン時に実行）などの情報が記憶される。
【００２５】
ＲＯＭ１４は、デジタルカメラ１の動作や制御に必要なプログラムのほか、このプログラムの実行に必要な初期値や設定値などが記憶される。
【００２６】
ＤＲＡＭ１５は、デジタルカメラ１の電源がオフしたときに記憶した情報が消去される揮発性メモリであり、上述した画像データのほか、画像処理部７、制御部１０などが処理を行う際に必要なデータが一時的に記憶される。
【００２７】
メモリカードＩ／Ｆ（インターフェース）部１６は、ＤＲＡＭ１５に記憶されている画像データをメモリカード１００に記録し、またメモリカード１００に記録されている画像データを読み出す機能を備えた書き込み／読み出し装置である。このメモリカードＩ／Ｆ部１６の図示しないメモリカードスロットには、メモリカード１００が着脱自在に装着される。
【００２８】
図２は、実施形態１における振動ユニット６の構成を示す斜視図である。本実施形態の振動ユニット６では、図２に示すように、光学部材５の前面側の左右両端部に圧電素子６０ａ、６０ｂが設置され、背面側の左右両端部に圧電素子６１ａ、６１ｂが設置されている。
【００２９】
圧電素子６０ａ、６０ｂは高次系振動モード用の圧電素子対である。これら圧電素子６０ａ、６０ｂの幅は、後述する高次系振動モードの振動形状に合わせて幅が狭く形成されている。一方、圧電素子６１ａ、６１ｂは低次系振動モード用の圧電素子対である。これら圧電素子６１ａ、６１ｂの幅は、後述する高次系振動モードの振動形状に合わせて、圧電素子６０ａ、６０ｂよりも幅が広く形成されている。また、各圧電素子は板状に形成されており、光学部材５有効撮影範囲外の左右両端部にそれぞれ接着により貼り付けられている。
【００３０】
さらに、圧電素子６０ａ、６０ｂの端部には、フレキシブルプリント基板６２ａ、６２ｂが接続されている。同様に、圧電素子６１ａ、６１ｂの端部には、フレキシブルプリント基板６３ａ、６３ｂが接続されている。これらフレキシブルプリント基板６２ａ、６２ｂ、６３ａ、６３ｂは圧電素子駆動回路９と電気的に接続されており、振動モードにより切り替えられた圧電素子に対して、振動モードに応じた周波数の電圧が印加される。なお、以下の説明では、圧電素子の符号を適宜に省略して記載する。
【００３１】
上記構成において、対になる圧電素子に特定の周波数（光学部材５の共振周波数）の交流電圧を印加すると、圧電素子の振動とともに光学部材５が共振して光学部材５の振動が発生する。この振動により光学部材５の表面に付着した塵埃等が除去されることになる。
【００３２】
図３は、実施形態１の振動ユニット６と光学部材５の共振による振動形状を示す説明図である。図３では、振動形状の上部に光学部材５と振動ユニット６を平面的に示している。各振動形状では、振幅運動の一方の形状を実線で示し、他方の形状を二点鎖線で示している。すなわち、圧電素子６０に印加する交流電圧のサイクルに従って、対称な２つの振幅形状が周期的に発生することになる。
【００３３】
４つの振動形状は、光学部材５を異なる共振周波数で共振させたときの形状を示している。共振周波数が高くなるにつれて振動形状の振幅周期も短くなり、振動形状の腹部の数も多くなる。ここでは、腹部の数が１０未満を低次系振動モード、１０以上を高次系振動モードと規定し、腹部の数が少ない順にモード１、モード２・・・モード１２と呼ぶものとする。図３では、低次系振動モードとしてモード６、モード７を例示し、高次系振動モードとしてモード１１、モード１２を例示している。
【００３４】
光学部材５の表面に付着した塵埃等を除去する場合は、モード６、モード７、モード１１、モード１２の順に異なる振動モードによる振動を発生させることになる。このために、制御部１０では、振動させる圧電素子を光学部材５の振動モードに応じて切り替えている。すなわち、最初に低次系振動モードによる振動を発生させるため、制御部１０は、振動させる圧電素子を圧電素子６１ａ、６１ｂに切り替え、これらの圧電素子６１ａ、６１ｂに対し、モード６、モード７に応じた周波数の交流電圧が印加されるよう圧電素子駆動回路９に駆動信号を出力する。続いて、高次系振動モードによる振動を発生させるため、制御部１０は、振動させる圧電素子を圧電素子６０ａ、６０ｂに切り替え、これらの圧電素子６０ａ、６０ｂに対し、モード１１、モード１２に応じた周波数の交流電圧が印加されるよう圧電素子駆動回路９に駆動信号を出力する。これにより、光学部材５を、図３に示すモード６、モード７、モード１１、モード１２の振動形状により順に振動させることができる。なお、各振動モードにおける振動時間は適宜に設定されるものである。
【００３５】
先に説明したように、圧電素子６０ａ、６０ｂは高次系振動モード用の圧電素子対であり、圧電素子６１ａ、６１ｂは低次系振動モード用の圧電素子対となっている。本実施形態の振動ユニット６では、図３に示すように、低次系振動モード用の圧電素子対である圧電素子６１ａ、６１ｂは、低次系振動モード（モード６、モード７）における振動形状の腹部が圧電素子の中心位置にかかるように設置されている。また、高次系振動モード用の圧電素子対である圧電素子６０ａ、６０ｂは、高次系振動モード（モード１１、モード１２）における振動形状の腹部が圧電素子の中心位置にかかるように設置されている。
【００３６】
したがって、図３に示すように、低次系振動モードでは、モード６及びモード７のいずれにおいても、振動形状の腹部が圧電素子６１ａ、６１ｂの中心位置にかかることになり、振動形状の節部は圧電素子６１ａ、６１ｂの中心位置から外れることになる。同様に、高次系振動モードでは、モード１１及びモード１２のいずれにおいても、振動形状の腹部が圧電素子６０ａ、６０ｂの中心位置にかかることになり、振動形状の節部は圧電素子６０ａ、６０ｂの中心位置から外れることになる。したがって、光学部材５の有効撮影範囲を含む全体を、図３に示すモード６、モード７、モード１１、モード１２の振動形状により満遍なく振動させることができる。
【００３７】
このような圧電素子の設置は、シミュレーションにより異なる共振周波数で光学部材５を共振させたときに発生する振動形状の腹部の個数と位置、大きさを把握することにより、それぞれの圧電素子最適な位置に設置することができる。
【００３８】
ここで、比較のために、従来例について説明する。図４は、従来例の構成による振動ユニットと光学部材５の共振による振動形状を示す説明図である。図４では図３と同等部分を同一符号で示している。図４に示す従来例では、一対の圧電素子６０ｘ、６０ｙが光学部材５の左右両端部に設置されている。それ以外の構成は実施形態１と同じである。
【００３９】
図４に示す従来例によれば、低次系振動モードでは、モード６及びモード７のいずれにおいても、振動形状の腹部が圧電素子６０ｘ、６０ｙの中心位置近くにかかることになり、振動形状の節部は圧電素子６０ｘ、６０ｙの中心位置から外れることになる。
【００４０】
一方、高次系振動モードでは、モード１１及びモード１２のいずれにおいても、振動形状の節部が圧電素子６０ｘ、６０ｙの中心位置にかかることになる。この場合、圧電素子６０ｘ、６０ｙの部分では十分な振動を得ることができないか、或いは、発生した振動形状自体が互いに打ち消し合い、印加する電圧を上昇させても全く振動を得ることができなくなることが考えられる。したがって、高次系振動モードでは、光学部材５の有効撮影範囲を含む全体を効率良く振動させることができないことになる。
【００４１】
上記実施形態１によれば、以下の効果を奏する。
（１）共振による振動を光学部材５に高効率で伝達させることができるので、光学部材５の有効撮影範囲を含む全体を低次系振動モードと高次系振動モードのそれぞれの振動形状により満遍なく振動させることができる。この結果、光学部材５の表面に付着した塵埃等を効果的に除去することができる。
（２）光学部材５の前面側に高次系振動モード用の圧電素子を設置し、背面側に低次系振動モード用の圧電素子を設置したので、各面に設置した圧電素子の幅を任意に設定することができる。
（実施形態２）
【００４２】
図５は、実施形態２における振動ユニット６Ａの構成を示す斜視図である。本実施形態の振動ユニット６Ａでは、図５に示すように、光学部材５の前面側に圧電素子６４ａ、６４ｂ、６４ｃ、６４ｄ、６４ｅ、６４ｆが設置されている。このうち、圧電素子６４ａ、６４ｂ、６４ｃは、光学部材５の有効撮影範囲外の図中左側の端部に並べて設置されている。また、圧電素子６４ｄ、６４ｅ、６４ｆは、同じく光学部材５の有効撮影範囲外の図中右側の端部に並べて設置されている。なお、隣接する圧電素子間は接触していてもよいし、離間していてもよい。
【００４３】
さらに、圧電素子６４ａ、６４ｂ、６４ｃの端部には、フレキシブルプリント基板６５ａが共通に接続されている。同様に、圧電素子６４ｄ、６４ｅ、６４ｆの端部には、フレキシブルプリント基板６５ｂが共通に接続されている。各フレキシブルプリント基板の内部では、プリント配線が圧電素子毎に別れて実装されており、圧電素子駆動回路９からの個別の信号がそれぞれの圧電素子に伝達されるように構成されている。
【００４４】
本実施形態では、光学部材５の左右両端部に設置された複数の圧電素子の組み合わせを、振動モードに応じて切り替えるようにしている。このため、本実施形態の制御部１０は、切り替え制御手段の機能として、低次系振動モードでは、低次系振動モード用の圧電素子対として機能する圧電素子６４ａ、６４ｂ及び圧電素子６４ｄ、６４ｅが振動ユニット６Ａで振動させる圧電素子対となるように設定を切り替え、また高次系振動モードでは、高次系振動モード用の圧電素子対として機能する圧電素子６４ｂ、６４ｃ及び圧電素子６４ｅ、６４ｆが振動ユニット６Ａで振動させる圧電素子対となるように設定を切り替えるようにしている。
【００４５】
図６は、実施形態２の振動ユニット６Ａと光学部材５の共振による振動形状を示す説明図である。図６において、各振動モードにおける振動形状は実施形態１と同じであるため、説明を省略する。
【００４６】
本実施形態の振動ユニット６Ａにおいても、図６に示すように、低次系振動モード用の圧電素子対として機能する圧電素子６４ａ、６４ｂ及び圧電素子６４ｄ、６４ｅは、低次系振動モード（モード６、モード７）における振動形状の腹部が圧電素子の中心位置にかかるように設置されている。また、高次系振動モード用の圧電素子対として機能する圧電素子６４ｂ、６４ｃ及び圧電素子６４ｅ、６４ｆは、高次系振動モード（モード１１、モード１２）における振動形状の腹部が圧電素子の中心位置にかかるように設置されている。
【００４７】
したがって、図６に示すように、低次系振動モードでは、モード６及びモード７のいずれにおいても、振動形状の腹部が圧電素子６４ａ、６４ｂ及び圧電素子６４ｄ、６４ｅのそれぞれの中心位置にかかることになり、振動形状の節部は圧電素子６４ａ、６４ｂ及び圧電素子６４ｄ、６４ｅのそれぞれの中心位置から外れることになる。同様に、高次系振動モードでは、モード１１及びモード１２のいずれにおいても、振動形状の腹部が圧電素子６４ｂ、６４ｃ及び圧電素子６４ｅ、６４ｆのそれぞれの中心位置にかかることになり、振動形状の節部は圧電素子６４ｂ、６４ｃ及び圧電素子６４ｅ、６４ｆのそれぞれの中心位置から外れることになる。したがって、光学部材５の有効撮影範囲を含む全体を、図６に示すモード６、モード７、モード１１、モード１２の振動形状により満遍なく振動させることができる。
【００４８】
このような圧電素子の設置及び組み合わせは、シミュレーションにより異なる共振周波数で光学部材５を共振させたときに発生する振動形状の腹部の個数と位置、大きさを把握することにより、それぞれの圧電素子最適な位置に設置し、また組み合わせることができる。
【００４９】
上記実施形態２によれば、以下の効果を奏する。
（１）実施形態１と同様に、共振による振動を光学部材５に高効率で伝達させることができるので、光学部材５の有効撮影範囲を含む全体を低次系振動モードと高次系振動モードのそれぞれの振動形状により満遍なく振動させることができる。この結果、光学部材５の表面に付着した塵埃等を効果的に除去することができる。
（２）光学部材５の前面側にすべての圧電素子を設置するようにしたので、光学部材５の両面に圧電素子を設置する場合に比べて圧電素子の実装が容易となる。またフレキシブルプリント基板の数も実施形態１よりも少なくすることができる。さらには、フレキシブルプリント基板と圧電素子との接続数も減らすことができるため、電気的な導通の信頼性を向上させることができる。
（３）各圧電素子を同一形状とすることにより、部品の共通化によるコストダウンを図ることができる。
（変形形態）
【００５０】
以上、説明した実施形態に限定されることなく、以下に示すような種々の変形や変更が可能であり、それらも本発明の範囲内である。
（１）実施形態１では、光学部材５の前面側に高次系振動モード用の圧電素子を設置し、背面側に低次系振動モード用の圧電素子を設置した例について示したが、光学部材５の前面側に低次系振動モード用の圧電素子を設置し、背面側に高次系振動モード用の圧電素子を設置した構成としてもよい。
（２）実施形態１では、対になる圧電素子を光学部材５の同じ面に設置した例について示したが、それぞれ異なる面に設置した構成としてもよい。例えば、図３において、圧電素子６０ｂを光学部材５の背面側に設置し、圧電素子６１ｂを前面側に設置するという構成である。
（３）実施形態２では、光学部材５の前面側の左右にそれぞれ３つの圧電素子を設置した例について示したが、圧電素子の数は使用する振動モードや設置スペースなどに応じて適宜に選択することができる。
【符号の説明】
【００５１】
１：デジタルカメラ、３：撮像部、４：撮像素子、５：光学部材、６（６Ａ）：振動ユニット、９：圧電素子駆動回路、１０：制御部、６０ａ、６０ｂ、６１ａ、６１ｂ、６４ａ〜６４ｆ：圧電素子、６２ａ、６２ｂ、６３ａ、６３ｂ、６５ａ、６５ｂ：フレキシブルプリント基板
【図１】
2010193312.tif 000003
【図２】
2010193312.tif 000004
【図３】
2010193312.tif 000005
【図４】
2010193312.tif 000006
【図５】
2010193312.tif 000007
【図６】
2010193312.tif 000008